(57)【要約】【課題】  相対する２枚の基布、及びこれら両基布を連結する糸よりなる経編スペーサ生地において、好適な衝撃吸収性及び弾力性を有するとともに、外観的にもデザイン性に優れた経編地を提供することを目的とする。【解決手段】  少なくとも一方側の基布がプレーン部分とメッシュ部分を有するとともに、複数種の糸により図柄を構成することで、少なくとも一方側の基布において、２種及び／又は２種の図柄がプレーン部分とメッシュ部分に対して効果的に複合されてファッション性豊かな経編地となり、図柄を構成する柄糸を表現される基布の反対側に基布に逃がすか、又は、両基布間に隠蔽することで、図柄自体が明瞭な経編地となる。【選択図】  図３
2005042266.tif 000002
【特許請求の範囲】
【請求項１】
相対する２枚の基布、及びこれら両基布を連結する連結糸よりなる経編地であって、少なくとも一方側の基布がプレーン部分とメッシュ部分を有するとともに、複数種の糸により図柄が形成されてなることを特徴とする経編地。
【請求項２】
複数種の糸のうちの１種の糸が、一方側の基布上でニードルループ部分での柄出しをしている部分において、他種の糸は他方側の基布に挿入あるいは編み込むことで隠蔽されていることを特徴とする請求項１に記載の経編地。
【請求項３】
メッシュ部分は、個別変化される糸により穴部のサイズ及び穴部領域が形成されていることを特徴とする請求項１又は請求項２に記載の経編地。
【発明の詳細な説明】
【技術分野】
【０００１】
本発明は、相対する２枚の基布、及びこれら両基布を連結する糸よりなる経編地に関し、特にはスポーツシューズなどの靴胛被地として好適に使用される、いわゆるスペーサ生地に関する。
【背景技術】
【０００２】
従来から、スポーツシューズなどの靴胛被地として、織生地や編生地からなる基布を用いたものが知られている。この中で、例えば特開平５−１７６８０４号公報で提案されているものは、靴材の各部分についてドビー織機を用い織成し、織成される単一織物の中で、それぞれの織物組織を組み合わせて模様を一体構成してなるものである。
【０００３】
又、本出願人が取得した実用新案では、ダブルニードル列経編機を用いて編成してなる二面式経編地（経編スペーサ生地）において、その少なくとも一方側の基布の各ウエールをジャカード制御で個別に変化させてなるものとして、例えば靴胛被地などへの用途についても提案している。
【特許文献１】特開平５−１７６８０４号公報
【特許文献２】実用新案登録公報第２５４８７１３号
【発明の開示】
【発明が解決しようとする課題】
【０００４】
上記従来技術において前述のものは、主として開示される織生地が一層織物であるので、スペーサ生地特有の衝撃吸収性及び弾力性に欠ける。請求範囲では、一応二層袋織りによるものも示唆されているものの、具体的な内容については何一つ開示されておらず、事実上実施が不可能である。
【０００５】
又、後述のものは、経編スペーサ生地であって靴胛被地についても開示しているが、実施例に示されるものは、基布としてメッシュ部分を単に示しているにすぎず、デザイン的に単調であることは否めない。
【０００６】
本発明は、相対する２枚の基布、及びこれら両基布を連結する糸よりなる前記経編地、いわゆる経編スペーサ生地において、スポーツシューズなどに好適な衝撃吸収性及び弾力性を有するとともに、外観的にもデザイン性に優れ、又、表現される図柄が基布上に鮮明に浮き出たものを具現化できる編成方法を含む経編地の具体構造を提供せんとするものである。
【課題を解決するための手段】
【０００７】
上記課題を解決するために本発明は、相対する２枚の基布、及びこれら両基布を連結する糸よりなる経編地であって、少なくとも一方側の基布がプレーン部分とメッシュ部分を有するとともに、複数種の糸により図柄が形成されてなる構成としたものである。
【発明の効果】
【０００８】
本発明は、単にプレーン部分とメッシュ部分を組み合わせただけでなく、複数種の糸、即ち少なくとも２種及び／又は２色の糸を用いて、基布上に図柄が構成されてなることで、衝撃吸収及び通気などの機能性とともに、ファッション性に優れた経編地、特にスポーツシューズの靴胛被地として好適なものが得られる。
【発明を実施するための最良の形態】
【０００９】
複数種の糸のうちの１種の糸が、一方側の基布上でニードルループ部分での柄出しをしている部分において、他種の糸は他方側の基布に挿入あるいは編み込むことで隠蔽されるように構成することで、表現される１種の糸が他の糸によって邪魔されることがなく、図柄が基布上で鮮明に表現される。
【００１０】
メッシュ部分は、個別変化される糸により穴部のサイズ及び穴部領域が形成されることで、特にスポーツシューズにおいてシューズを構成する各部に応じた通気性を考慮するためのメッシュの大きさを自在に変化できる。
【実施例】
【００１１】
次に本発明の実施例を図面に基づいて説明する。
【００１２】
図１は本発明の経編地を編成するために使用してなるダブルニードル列経編機の筬配列図である。Ｆは前部ニードル列、Ｂは後部ニードル列であって、前後部ニードル列Ｆ，Ｂに対し各編筬が配列されてなる。ＧＢ１、ＧＢ２、ＧＢ３は前部の地筬であり、ＧＢ７、ＧＢ９、ＧＢ１０は後部の地筬である。ＰＪＢ５−１、ＰＪＢ５−２、ＰＪＢ６−１、ＰＪＢ６−２はジャカード筬であって、各ジャカード筬は各々に配設される導糸ガイドが個別に圧電素子で制御可能な構成となっている。各一対のジャカード筬ＰＪＢ５−１、ＰＪＢ５−２とジャカード筬ＰＪＢ６−１、ＰＪＢ６−２は、各々の導糸ガイドの密度が編機ゲージに対し半分に設定してあり、各ジャカード筬の導糸ガイドは、ニードルに作用可能に交互にずらされた配列で各ニードルに対応して設けられている。ジャカード筬ＰＪＢ５−１，ＰＪＢ５−２，ＰＪＢ６−１，ＰＪＢ６−２は、前部地筬ＧＢ１，ＧＢ２，ＧＢ３と後部地筬ＧＢ７，ＧＢ９，ＧＢ１０の間に設けられている。実施例の経編地の編成には２４ゲージ（ニードル本数／１インチ）で、機械幅４２インチのダブルニードル列経編機を使用した。図１における地筬ＧＢ１，ＧＢ２，ＧＢ３，ＧＢ７，ＧＢ９，ＧＢ１０は各々サーボモータによってニードル列（Ｆ，Ｂ）に平行な方向にラッピング可能に設けられている。
【００１３】
図２は、本発明の一実施例経編地を編むための編組織図、図３はスポーツシューズ用として編成された靴胛被地の一例を示す平面図、図４は靴胛被地の概略断面模式図、図５の（I）〜（VI）は、ジャカード筬ＰＪＢ５（ＰＪＢ５−１とＰＪＢ５−２の１組を代表して示す）とジャカード筬ＰＪＢ６（ＰＪＢ６−１とＰＪＢ６−２の１組を代表して示す）の変化編組織図である。編成には、地筬ＧＢ３，ＧＢ７，ＧＢ９，ＧＢ１０とジャカード筬ＰＪＢ５−１，ＰＪＢ５−２，ＰＪＢ６−１，ＰＪＢ６−２が使用される。そして、協同して前部基布２０を構成するために、地筬ＧＢ３には地糸３を、ジャカード筬ＰＪＢ５−１，ＰＪＢ５−２には地糸５をそれぞれ編機ゲージに対応して導糸ガイドに総詰めで通糸する。又、協同して後部基布３０を編成するために、地筬ＧＢ９に地糸９を、地筬ＧＢ１０に地糸１０を各々通糸してなる。更に、前記前部基布２０と後部基布３０を連結するために連結糸７を地筬ＧＢ７に通糸する。連結糸７としては、衝撃吸収性を効果的に付与するために、モノフィラメント糸とすることが望ましい。なお、ジャカード筬ＰＪＢ６−１，ＰＪＢ６−２には図柄を構成することを目的とした先染め糸あるいは後染め可能な柄糸６を通糸してなる。
【００１４】
ここで、ジャカード筬ＰＪＢ５−１，ＰＪＢ５−２に通糸した地糸５は圧電素子を備えた導糸ガイドによってニードル列（Ｆ，Ｂ）に平行な方向でラッピングが制御される。地筬ＧＢ３により鎖編に編成される地糸３に対し、ジャカード筬ＰＪＢ５（ＰＪＢ５−１とＰＪＢ５−２）より導糸される地糸５が図５の編組織（I）に示す通り、前部ニードル列Ｆにおいて矢印方向に制御され、同じニードルにオーバラップして地糸５−１に変化させることで、隣接ウエールに関与しない穴地と、編組織（II）による隣接ウエールに関与する薄地との組み合わせによりメッシュ部分Ｍが構成されるが、穴地の編コースが連続する長さを調節することで、メッシュ部分Ｍのサイズが選択される。このメッシュ部分Ｍのサイズとともに、穴部領域についても地糸５がジャカード制御により個別変化されることで輪郭線を伴う図柄が構成される。又、地糸５について薄地が連続する場合は、これにより切断線Ｌが形成される。更に、編組織（III）に示すように矢印方向に制御され、導糸ガイドが２ゲージ分アンダラップされて地糸５−２に変化されることで厚地となり、薄地と併せてプレーン部分Ｐが形成される。
【００１５】
前記メッシュ部分Ｍとプレーン部分Ｐに対し、柄糸６が、編組織（IV）に示す矢印方向に制御され柄糸６−１にされることで、図１１に示すように、前部基布のみに柄糸６のニードルループ６ａが形成され、これによって図柄Ｄが形成される。なお編組織（IV）において、柄糸６が２つのニードルに作用してなる破線で示すジャカード制御されない基本組織でも、むろん基布上に図柄Ｄを構成できるが、デザイン構成上、柄端を直線に変化させた方が柄を作りやすい。そして、図柄を構成しない部分では、編組織（V）に基づき、前部基布２０と後部基布３０の間で柄糸６を隠すために、矢印方向に制御して前部ニードルＦでのオーバラップをうち消しかつ、基布間に挟み込み柄糸６−２とすることで隠蔽部６ｃとなるが、この隠蔽個所が長く続くと、柄糸６が抜けやすくなるので、編組織（VI）で矢印方向に変化される編成に基づき図１２に示すごとく柄糸６の一部を後部ニードルＢでオーバラップさせて柄糸６−３とすることでニードルループ６ｂとなって後部基布３０に止定されるのである。
【００１６】
図６に示す編組織図例は、編機ゲージの半分の本数の導糸ガイドを各編筬に設けて編成してなる、いわゆるオフセット編成によるものを示している。地筬については、通常の編筬と同じであるので、編組織例の説明は省略するが、ジャカード筬については、変化するので説明する。ジャカード筬ＰＪＢ５−１，５−２の基本編組織は、４−０／４−４／４−８／４−４／／であり、ジャカード筬ＰＪＢ６−１，６−２の基本編組織は、２−６／２−２／２−０／２−２／／である。そして、ジャカード筬ＰＪＢ５−１，５−２には、各々異種及び／又は異色の柄糸５５，５６を通糸する。
【００１７】
ここで、基本編組織における柄糸５５（５６）が編コースＫ３で制御されることで、厚地の柄糸５５ａ（５６ａ）となる。柄糸５５ｂ（５６ｂ）は各編コースでジャカード制御されない柄糸である。柄糸５５ｃ（５６ｃ）は編コースＫ１でジャカード制御されて実質的に同一鎖ウエールに絡みつく編組織となる。そして、前記実施例同様、薄地の柄糸５５ｂ（５６ｂ）と穴地の柄糸５５ｃ（５６ｃ）の組合せによってメッシュＭ部分が構成される。又、薄地の柄糸と厚地の柄糸５５ａ（５６ａ）の連続編成により、プレーン部分Ｐが形成される。
【００１８】
又、柄糸６５ａ（６６ａ）は、基本編組織における編コースＫ３で制御されることで前部基布側にてオーバラップされ、図柄が構成できる。柄糸６５ｂ（６６ｂ）は編コースＫ１，Ｋ３にて制御されることで変化されてなるもので、この柄糸部分は基布間に遊離する形態となる。柄糸６５ｃ（６６ｃ）は編コースＫ１，Ｋ３でオーバラップを打ち消すとともに、編コースＫ２でオーバラップさせることで形成され、遊離されてなる柄糸６５ｂ（６６ｂ）の一部を基布に止定することになる。
【００１９】
上記実施例においては、柄糸６を１色及び／又は１種の糸で構成していたが、これに換えて、２色の異種及び／又は異色の糸を用いることができる。この場合、図１におけるジャカード筬ＰＪＢ５−１に一方の柄糸を、ジャカード筬ＰＪＢ５−２に他方の柄糸を各々編機ゲージに対し１本入れ１本抜きで通糸し、一方の柄糸が一方側の基布上でニードルループにより柄構成してなるとき、他方の柄糸は、基布間で遊離させ、適宜コースごとに他方側の基布に止定させるとともに、他方の柄糸が一方側の基布上でニードルループにより柄構成してなるとき、一方の柄糸を、基布間で遊離させ、適宜コースごとに他方側の基布に止定させることで、２種及び／又は２色の柄構成の図柄を基布上に現出できる。
【００２０】
次に、柄糸を２色用い、連結糸は用いずに柄糸により連結糸の機能を兼用した場合の実施例について説明する。その際の糸入れは、ジャカード筬ＰＪＢ５−１，５−２に１色の柄糸５０を、ジャカード筬ＰＪＢ６−１，６−２に他色の柄糸６０を各々通糸してなる。そして地筬ＧＢ１，ＧＢ２，ＧＢ３，ＧＢ７，ＧＢ９，ＧＢ１０には各々地糸１，２，３，７，９，１０を通糸してなる。
【００２１】
図７は上記糸配列の構成よりなる実施例の一つとして編成されたブラジャーのカップ用素材としての経編地の平面図であり、図８はこの経編地の基布の変化例を示す編組織図であり、図９は編機ゲージに対応した糸本数分導糸ガイドに通糸した場合のジャカード筬の編組織図であり、図１０は、編機ゲージに対して半分のゲージ分の本数を導糸ガイドに通糸し、互いに１ゲージずらした位置に設けた、いわゆるオフセットによるジャカード筬の編組織図である。図１３は、２色の柄糸を前部基布において交互に図柄構成し、図柄構成しない時は基布間に遊離させてなる経編地の断面図であり、図１４は、後部基布でオーバラップさせることで柄糸を隠蔽してなる例の断面図である。
【００２２】
図７では、柄域が表現された前部基布の構成を示しており、後部基布については、地筬ＧＢ７，９，１０により編成されプレーンとメッシュの編組織が適宜組み合わされて編成されるが、ここでは図柄が構成される前部基布２００のみを説明し、後部基布３００については省略する。図中、Ｃは編成方向、Ｗは編幅方向を示す。Ｃ１、Ｃ２、Ｃ３は連続した編成部分であり、これら編成部分Ｃ１、Ｃ２、Ｃ３が１リピートの編成領域である。編成部分Ｃ１は、図８における編組織２０４で編成を行うもので、地筬ＧＢ２，３での地糸２，３による鎖編に対し、地筬ＧＢ１での地糸１による２針間の挿入編により編成される。更に、編成部分Ｃ２は、編組織２０７で編成を行うもので、地筬ＧＢ２，３での地糸２，３による鎖３ウエール間対称移行組織に対し、地筬ＧＢ１での地糸１による１針間の挿入編の組合せ、通称変則パワーネット組織と呼ばれる編組織により編成される。そして、編成部分Ｃ３では、編組織２０２で編成を行うもので、地筬ＧＢ２，３での地糸２，３による２×１トリコット組織に対し、地筬ＧＢ１での地糸１による１×１トリコット組織によりプレーン部分に編成され、以降編成部分Ｃ１，Ｃ２，Ｃ３を１単位として繰り返し編成される。
【００２３】
上記実施例では、３種類の編組織２０２，２０４，２０７を使用したが、これ以外に図８に示すプレーン部分を表現する編組織２０１，２０３，２０５及び、メッシュ部分を表現する編組織２０６，２０８，２０９を適宜組み合わせて使用することで、よりバリエーション豊かな経編地とすることが可能となる。
【００２４】
次に、柄糸５０，６０による２色の図柄構成について説明する。図７において、Ｄ１、Ｄ２は図柄であり、図柄Ｄ１は、柄糸５０のニードルループ部分よりなり、図柄Ｄ２は柄糸６０のニードルループ部分よりなる。柄糸５０を通糸してなるジャカード筬ＰＪＢ５の基本編組織は、図９に示すとおりで、そのチェーン番号は２−０／０−０／２−４／２−２／／である。又、柄糸６０を通糸してなるジャカード筬ＰＪＢ６の基本編組織は、そのチェーン番号が２−２／２−０／４−４／２−４／／である。
【００２５】
図１３において、５０ａは柄糸５０のニードルループ部分であり、６０ａは、柄糸６０のニードル部分であり、これらニードルループ部分５０ａ，６０ａにより図柄が構成される。図９において、ニードル部分５０ａについては、ジャカード筬ＰＪＢ５の基本編組織における編コースＫ２，Ｋ４でジャカード制御することで達成され、ニードルループ部分６０ａについては、ジャカード筬ＰＪＢ６の基本組織における編コースＫ１，Ｋ３でジャカード制御することで達成される。
【００２６】
又、柄糸５０を基布２００，３００の間に挿入させるには、ジャカード筬ＰＪＢ５の基本編組織における編コースＫ１，Ｋ３のオーバラップを打ち消すことで柄糸５０ｃ部分が達成される。更に、柄糸６０を基布２００，３００の間に挿入させるには、ジャカード筬ＰＪＢ６の基本編組織における編コースＫ２，Ｋ４のオーバラップを打ち消すことで、柄糸６０ｃ部分が達成される。
【００２７】
次に、図１３で図示してはいないが、柄糸５０又は柄糸６０の一方について、基布間での挿入が長く続く場合、柄糸が外力により抜け出す虞があるので、柄糸５０，６０を部分的に後部基布３００へ止定することが必要であり、柄糸５０場合には、編コースＫ１，Ｋ３でオーバラッピングを打ち消すとともに、編コースＫ４で逆にオーバラッピングさせることで、柄糸５０ｄとなる。又、柄糸６０の場合、編コースＫ４でオーバラッピングを打ち消すとともに、１ゲージアンダラップさせ、編コースＫ３でも１ゲージ右方向にアンダラップさせることで柄糸６０ｄとなる。
【００２８】
上記実施例においては、柄糸５０と柄糸６０は少なくともいずれか一方が基布２００と基布３００を連結するために制御されるので、独立した連結糸を用いずとも、スペーサ生地としての経編地が成立するものである。図１４は、図１３における柄糸５０ｃ，６０ｃの各部分を設けず、オーバラップによるニードルループ部分５０ｄ，６０ｄを後部基布３００に設けたもので、この場合、柄糸５０，６０により、前部基布２００と後部基布３００の両面に所望の異なる別図柄を構成することができる。
【００２９】
又、図１０に示す編組織図例は、地筬及びジャカード筬（ＰＪＢ５，ＰＪＢ６）について、各々編機ゲージの半分の本数の導糸ガイドを設けて編成してなる例であり、ジャカード筬については、各々２列の独立したジャカード筬ＰＪＢ５−１，ＰＪＢ５−２，ＰＪＢ６−１，ＰＪＢ６−２として編成してなる４色柄出しの例を示すもので、ジャカード筬ＰＪＢ５−１，５−２の基本編組織は、２−０／０−０／４−６／４−４／／であり、ジャカード筬ＰＪＢ６−１，６−２の基本編組織は、２−２／２−０／６−６／４−６／／である。そして、ジャカード筬ＰＪＢ５−１，５−２には各々異種及び／又は異色の柄糸５１、５２を、ジャカード筬ＰＪＢ６−１，６−２には各々異種及び／又は異色の柄糸６１，６２を通糸する。ここで図柄を構成する場合は、基本編組織の編コースＫ２，Ｋ４で制御して柄糸５１ａ，５２ａに、又、編コースＫ１，Ｋ３で制御して柄糸６１ａ，６２ａとする。これら柄糸５１ａ，５２ａ，６１ａ，６２ａのうちの一種の糸で図柄を構成するように制御する。図柄を構成しない残りの３種に糸については基布間への挿入形態とするために、柄糸５１，５２が編コースＫ１とＫ３での制御により、オーバラップを打ち消し柄糸５１ｂ，５２ｂとし、柄糸６１，６２が編コースＫ２，Ｋ４での制御によりオーバラップを打ち消し、柄糸６１ｂ，６２ｂとする。又、挿入が長くなる場合は、柄糸５１，５２が編コースＫ１，Ｋ３でオーバラップを打ち消すとともに、編コースＫ４でオーバラップさせる。又、柄糸６１，６２を編コースＫ１で１ゲージアンダラップさせるとともに、編コースＫ２でオーバラップさせる。これによって、挿入の合間における後部基布側でのオーバラップによる止定柄糸５１ｃ，５２ｃ，６１ｃ，６２ｃとするものである。
【００３０】
なお、以上の実施例で示される編組織は実施可能なものの一部にすぎず、これ以外にも本発明の特許請求範囲を逸脱しない範囲において、種々の実施例編組織による経編地について編成され得ることはいうまでもない。
【産業上の利用可能性】
【００３１】
本発明の経編地は、特にスポーツシューズ等の靴胛被地として最適なものや、実施例で挙げたブラジャーのカップ材の他、使用される経編地の糸使い、編組織、打ち込み密度などを適宜選択することで、カーシート、椅子張り、各種マットとして幅広く利用できるほか、二重カーテン、テーブルクロス等にも用途がある。
【図面の簡単な説明】
【００３２】
【図１】本発明の経編地編成のために使用してなるダブルニードル列経編機の筬配列図である。
【図２】本発明の一実施例経編地を編むための編組織図である。
【図３】スポーツシューズ用として編成された靴甲被地の一例を示す平面図である。
【図４】靴甲被地の概略断面模式図である。
【図５】ジャカード筬ＰＪＢ５（ＰＪＢ５−１とＰＪＢ５−２の１組を代表して示す）とジャカード筬ＰＪＢ６（ＰＪＢ６−１とＰＪＢ６−２の１組を代表して示す）の変化編組織図である。
【図６】編機ゲージに対して半分のゲージ分の本数を設けた導糸ガイドに通糸したオフセットによるジャカード筬ＰＪＢ５−１，５−２、ジャカード筬ＰＪＢ６−１，６−２の編組織図である。
【図７】ブラジャーのカップ用素材としての経編地の平面図である。
【図８】図７の経編地の基布の変化例を示す編組織図である。
【図９】編機ゲージに対応した糸本数分導糸ガイドに通糸した場合のジャカード筬の編組織図である。
【図１０】編機ゲージに対して半分のゲージ分の本数を設けた導糸ガイドに通糸したオフセットによるジャカード筬の編組織図である。
【図１１】前部基布に柄糸をオーバラップさせてニードルループ部分を形成した経編地の断面図である。
【図１２】後部基布でオーバラップさせることで柄糸を隠蔽してなる経編地の断面図である。
【図１３】２色の柄糸を前部基布において交互に図柄構成し、図柄構成しない時は基布間に遊離させている経編地の断面図である。
【図１４】２色の柄糸で両面に所望の異なる別図柄を構成してなる経編地の断面図である。
【符号の説明】
【００３３】
Ｆ  前部ニードル列
Ｂ  後部ニードル列
１、２、３、５、７、９、１０  地糸
６、５０、５１、５２、６０、６１、６２  柄糸
７  連結糸
２０、２００  前部基布
３０、３００  後部基布
ＧＢ１、ＧＢ２、ＧＢ３  前部の地筬
ＧＢ７、ＧＢ９、ＧＢ１０  後部の地筬
ＰＪＢ５（ＰＪＢ５−１とＰＪＢ５−２）  ジャカード筬
ＰＪＢ６（ＰＪＢ６−１とＰＪＢ６−２）  ジャカード筬
Ｍ  メッシュ部分
Ｌ  切断線
Ｐ  プレーン部分
D、D1、D2  図柄
Ｃ  編成方向
Ｋ１  編幅方向
Ｃ１、Ｃ２、Ｃ３  編成部分
【図１】
2005042266.tif 000003
【図２】
2005042266.tif 000004
【図３】
2005042266.tif 000005
【図４】
2005042266.tif 000006
【図５】
2005042266.tif 000007
【図６】
2005042266.tif 000008
【図７】
2005042266.tif 000009
【図８】
2005042266.tif 000010
【図９】
2005042266.tif 000011
【図１０】
2005042266.tif 000012
【図１１】
2005042266.tif 000013
【図１２】
2005042266.tif 000014
【図１３】
2005042266.tif 000015
【図１４】
2005042266.tif 000016